(57)【要約】【課題】  持続的に広い範囲で温度を下げる効果が期待できるパネル体の提供。【解決手段】  吸水性の多孔質体で形成された複数の桟部１２，１２，…を有し、桟部１２間に表裏面を貫通する通風部１３を有する。【選択図】      図１
2015078547.tif 000002
【特許請求の範囲】
【請求項１】
吸水性の多孔質体で形成された複数の桟部を有し、桟部間に表裏面を貫通する通風部を有することを特徴とするパネル体。
【発明の詳細な説明】
【技術分野】
【０００１】
本発明は、フェンス等に用いられるパネル体に関する。
【背景技術】
【０００２】
近年、太陽光発電や屋上緑化等を採用し、ＣＯ２削減や省エネが可能なスマートハウス、スマートタウンへの関心が高まりつつある。ここでは、ヒートアイランド現象を緩和するため、街並み全体を涼しくできる技術が求められている。従来、暑さをしのぐためには打ち水等をするのが一般的であるが、その効果は一時的で、且つ局所的なものでしかなかった。
【発明の概要】
【発明が解決しようとする課題】
【０００３】
本発明は以上に述べた実情に鑑み、持続的に広い範囲で温度を下げる効果が期待できるパネル体の提供を目的とする。
【課題を解決するための手段】
【０００４】
上記の課題を達成するために請求項１記載の発明によるパネル体は、吸水性の多孔質体で形成された複数の桟部を有し、桟部間に表裏面を貫通する通風部を有することを特徴とする。
【発明の効果】
【０００５】
請求項１記載の発明によるパネル体は、吸水性の多孔質体で形成された複数の桟部を有し、これら桟部に雨水等を吸収して保持することができ、その水が少しずつ蒸発することで気化冷却作用が得られる。しかもパネル体は、桟部間に表裏面を貫通する通風部を有しているので、通風部を風が通ることで、パネル体の設置場所から離れた場所まで涼しい風を運ぶことができる。通風部を桟部間に設けることで、桟部の長手方向に沿って長い通風部が形成されるので、視線の抜けや風通しを良くすることができる。家々のフェンス等に本発明のパネル体を設置すれば、街全体の温度を下げることができる。
【図面の簡単な説明】
【０００６】
【図１】（ａ）は本発明のパネル体の第１実施形態を示す正面図であり、（ｂ）は同パネル体の側面図、（ｃ）は同パネル体のＡ−Ａ断面図である。
【図２】第１実施形態のパネル体の斜視図である。
【図３】第１実施形態のパネル体の一部を拡大して示す斜視図である。
【図４】第１実施形態のパネル体を用いたフェンスの施工例を示す斜視図である。
【図５】第１実施形態のパネル体の周辺設備と作用を示す説明図である。
【図６】発泡アルミニウムの製造工程の例を示す説明図である。
【図７】（ａ）は本発明のパネル体の第２実施形態を示す正面図であり、（ｂ）は同パネル体のＢ−Ｂ断面図、（ｃ）は同パネル体のＣ−Ｃ断面図である。
【図８】第２実施形態のパネル体を用いたフェンスの施工例を示す斜視図である。
【図９】（ａ）は本発明のパネル体の第３実施形態を示す正面図であり、（ｂ）は同パネル体のＤ−Ｄ断面図、（ｃ）は同パネル体のＥ−Ｅ断面図である。
【図１０】第３実施形態のパネル体を用いたフェンスの施工例を示す斜視図である。
【発明を実施するための形態】
【０００７】
以下、本発明の実施の形態を図面に基づいて説明する。図１〜５は、本発明のパネル体１の第１実施形態であって、フェンス２及び扉３に適用した場合を示している。本実施形態は、図１に示すように、複数の単位パネル体４ａ，４ｂ，４ｃ，４ｄを基礎部５上に左右方向に並べて立設してフェンス２が構成され、扉３は別の単位パネル体４ｅで形成してフェンス２に隣接して配置され、蝶番等により家側に開くように取付けられている。基礎部５は、コンクリートブロック６を並べた上にアルミフラットバー７を設置してあり、アルミフラットバー７にフェンス２の下端を固定してある。
【０００８】
各単位パネル体４ａ，４ｂ，４ｃ，４ｄ，４ｅは、図３に示すように、吸水性の多孔質体で形成されており、雨水等を吸収して保持できるものとなっている。かかる吸水性の多孔質体の具体例としては、発泡アルミニウムがあげられる。発泡アルミニウムは、普通のアルミの１０〜２５％の密度で、吸水性、保水性を有するアルミ材であり、軽量性、電磁波シールド性、吸音性、易加工性、不燃性、易再利用性、耐候性等に優れている。発泡アルミニウムで形成されたパネル体は、表面温度の一日の変化量が芝生とほぼ同じであり、降雨後は一日に１〜５Ｋｇ／ｍ２の蒸散性能がある。気孔率によっては、蒸散性能が１０日間続くこともある。
図６は、発泡アルミニウムの製造工程の一例（スペーサー法）を示している。この方法は、図６（ａ）に示すように、アルミの粉末８とスペーサー９（ガラス粉末、ＮａＣｌ、Ｍｇ等）を用意し、これを図６（ｂ）に示すように容器にいれて撹拌する。その後、図６（ｃ）に示すように、これを型１０に詰めて圧縮しながら加熱する。すると、図６（ｄ）に示すように、多数の気孔を持つ多孔質の発泡アルミニウムとなる。材料のアルミとガラスは、廃材のアルミくず、ガラスくずを利用することができる。
【０００９】
各単位パネル体４ａ，４ｂ，４ｃ，４ｄ，４ｅは、図１，２に示すように、左右方向に間隔をおいて上下方向のスリット１１を形成することで複数の桟部１２，１２，…が形成されており、上部側を支点として桟部１２を垂直軸回りにひねることで、桟部１２間にパネル体の表裏面を貫通する通風部１３を形成している。フェンス２の部分は、単位パネル体４ａ，４ｂ，４ｃ，４ｄ毎に桟部１２のひねる角度を異ならせることで、通風部１３の大きさを調節している。より詳細には、右端の単位パネル体４ａは桟部１２のひねる角度は０°であり、４ｂ，４ｃ，４ｄの順に桟部１２のひねる角度を大きくしている。このように桟部１２をひねり、桟部１２を左右方向に対して傾けて配置することで、一定の方向からの視線１４を遮りつつ、風１５の通りを確保することができる。また通風部１３は、パネル体１の下端で最も大きく、上方に向かうにつれて小さくなるため、良好な通風性を確保しながら目線の高さでは視線を遮り、プライバシーも確保できる。さらに、桟部１２のひねる角度を異ならせることで、設置する場所の環境に応じて視線の抜けや風通しを調節することができると共に、色々な方向からの風を捕まえることができる。
【００１０】
各単位パネル体４ａ，４ｂ，４ｃ，４ｄ，４ｅは、図１〜３に示すように、上端部に溝状の雨水溜り１６が設けてある。雨が降ると雨水溜り１６に雨水が溜まり、その雨水がパネル体１全体に徐々に浸透することで、雨水を効率よくパネル体１に取り込み、蒸散性能を長続きさせることができる。
さらに図５に示すように、屋根からの雨水を貯める雨水タンク１７を設け、雨水タンク１７とパネル体１の雨水溜り１６とを配管１８で繋ぎ、温度・湿度センサー１９により雨水溜り１６の渇水を検知して雨水タンク１７から雨水を送るようにすれば、コストをあまりかけずに蒸散性能が恒久的に得られる。
【００１１】
以上に述べたように本発明のパネル体１は、吸水性の多孔質体で形成されているので、雨水等を吸収して保持することができ、図４，５中に点線２０で示すように、その水が少しずつ蒸発することで気化冷却作用が得られる。さらに本パネル体１は、桟部１２間に通風部１３が設けてあるので、図４，５中に実線２１で示すように、通風部１３を風が通り、通風部１３を通る前と後とで風の温度が２〜３℃低下し、パネル体１の設置場所から離れた場所まで涼しい風を運ぶことができる。また本パネル体１は、桟部１２間に通風部１３を設けたので、通風部１３を桟部１２の長手方向に沿って長く設けることができ、視線の抜けや風通しが良く、温度を下げる効果が高い。図４に示すように、家々のフェンス等に本発明のパネル体１を設置すれば、街全体の温度を下げることができる。さらに本パネル体１は、桟部１２をひねって桟部１２間に通風部１３を形成したので、一定の方向からの視線１４を遮りつつ風１５の通りを確保できる。桟部１２のひねる角度を異ならせることで、設置する環境に応じて視線の抜けや風通しを調節することができると共に、色々な方向からの風を捕まえることができる。
【００１２】
図７，８は、本発明のパネル体１の第２実施形態を示している。本パネル体は、図７に示すように、基礎部５上に単位パネル体４ａを立設してフェンス２を構成し、フェンス２の側方に別の単位パネル体４ｂを蝶番等で取付けて扉３とし、扉３は家側に開くようになっている。
フェンス２を構成する単位パネル体４ａは、第１実施形態と同様に、発泡アルミニウムで形成されており、下方が開放したアーチ型の開口部２２を設けることで、複数の桟部１２，１２，…を形成すると共に、桟部１２間にパネル体の表裏面を貫通する通風部１３を形成してある。桟部１２は、ひし形状の断面になっている。桟部１２同士の間隔（通風部１３の幅）は、不均一になっている。桟部１２同士の間隔（通風部１３の幅）は、設置する場所の環境に応じて適宜調節することができ、視線の抜けや風通しを良くしたい場合には桟部１２の間隔を広く設定し、プライバシーの保護を重視する場合には桟部１２の間隔を密に設定する。
扉３を構成する単位パネル体４ｂも発泡アルミニウムで形成してあり、縦長の長孔状の開口部２２を複数設けることで、複数の桟部１２，１２，…を形成すると共に、桟部１２間にパネル体の表裏面を貫通する通風部１３を設けてある。
各単位パネル体４ａ，４ｂの上端部には、溝状の雨水溜り１６が設けてある。
【００１３】
本実施形態のパネル体１も、第１実施形態のパネル体１と同様に、雨水等を吸収して保持することができ、その水が少しずつ蒸発することで（図８中の点線２０参照）気化冷却作用が得られ、さらに通風部１３を風が通過することで（図８中の実線２１参照）風が冷やされ、パネル体１の設置場所から離れた場所まで涼しい風を運ぶことができる。さらに本パネル体１は、アーチ型の通風部１３がローマの水道橋のような雰囲気を醸し出し、デザイン性にも優れている。桟部１２の間隔を変化させることで、視線の抜けや風通しを調節し、環境に対応させることができる。
【００１４】
図９，１０は、本発明のパネル体１の第３実施形態であって、フェンス２及び扉３に適用した場合を示している。フェンス２は、図９に示すように、基礎部５上に断面が平行四辺形の帯板状の桟部１２，１２，…を並べて立設して構成してある。各桟部１２は、発泡アルミニウムで形成してあり、内部に金属製の角パイプ２２が通してある。角パイプ２２は、支柱と導水管を兼ねるものであって、多数の孔が開けられており、雨水タンク等と連結されて桟部１２に水を供給する。
フェンス２は、右から左にかけてａ〜ｄの領域を有している。ａの領域では、複数の桟部１２が左右方向と平行に且つ密着して配置されている。ｂの領域では、複数の桟部１２が左右方向に対して３０°傾けて配置され、道路側からの視線１４を遮りつつ、桟部１２間に通風部１３を形成し、風１５が通るようにしている。ｃの領域では、複数の桟部１２が左右方向に対して６０°傾けて配置され、桟部１２間により大きく通風部１３を形成している。ｄの領域では、複数の桟部１２が左右方向に対して９０°傾けて配置され、桟部１２間に通風部１３をより一層大きく形成している。このように本実施形態のパネル体１は、桟部１２の角度を変化させることで、視線の抜けや風通しを調節し、環境に対応させられる。また、桟部１２の角度を変化させることで、色々な方向からの風を捕まえることができる。
基礎部５は、上面に雨水溜り２３が形成されており、雨水溜り２３に溜まった雨水が桟部１２に吸い上げられることで、桟部１２の吸水が促進される。渇水時には、雨水溜り２３に水道水を流すことで、桟部１２に吸水させられる。
扉３は、上下の横桟２４，２４間に複数の桟部１２を架設して構成され、桟部１２は左右方向に対して傾けて配置されることで、視線を遮りつつ桟部１２間に通風部１３を形成してある。
【００１５】
本実施形態のパネル体１も、第１・第２実施形態のパネル体１と同様に、雨水等を吸収して保持することができ、その水が少しずつ蒸発することで（図１０中の点線２０参照）気化冷却作用が得られ、さらに通風部１３を風が通過することで（図１０中の実線２１参照）風が冷やされ、パネル体１の設置場所から離れた場所まで涼しい風を運ぶことができる。さらに本パネル体１は、複数の桟部１２，１２，…で構成してあり、桟部１２の向きを変えることで視線の抜けや風通しを調節し、環境に対応させるのが容易である。桟部１２を左右方向に傾けて配置することで、図９に示すように、視線１４を遮りつつ風１５の通りを確保できる。
【００１６】
本発明は以上に述べた実施形態に限定されない。パネル体の材質は、吸水性の多孔質体であればよく、発泡アルミニウムに限らず、セラミック、陶器、珪藻土等であってもよい。パネル体のデザインは適宜変更することができる。本発明のパネル体は、フェンスや扉の他、窓の外に設置するガラリ等にも適用することができる。
【符号の説明】
【００１７】
１  パネル体
１２  桟部
１３  通風部
【図１】
2015078547.tif 000003
【図２】
2015078547.tif 000004
【図７】
2015078547.tif 000005
【図９】
2015078547.tif 000006
【図３】
2015078547.tif 000007
【図４】
2015078547.tif 000008
【図５】
2015078547.tif 000009
【図６】
2015078547.tif 000010
【図８】
2015078547.tif 000011
【図１０】
2015078547.tif 000012